(57)【要約】【課題】搬送ローラに挟持された原稿の読み取りを中止して当該原稿を排出させる場合の操作性が向上された画像形成装置、画像形成プログラム、および画像形成方法を提供すること。【解決手段】本発明によれば、原稿検出手段により原稿が検出されない場合には、排出指示子を有さない第１画面が表示部に表示される。一方、原稿が原稿検出手段により検出されると、当該原稿が搬送ローラに挟持されるとともに、当該原稿を自装置から排出させるための排出指示子を有する第２画面が、第１画面に代えて表示部に表示される。そして、排出指示子に対する入力を受け付けた場合、搬送ローラに挟持されている原稿が、読取手段による原稿の読み取りを行うことなく、搬送されて自装置から排出されるので、当該原稿の読み取りを中止させる際の操作性を向上させることができる。【選択図】図５
2014086959.tif 000002
【特許請求の範囲】
【請求項１】
セットされた原稿を搬送する搬送ローラと、
前記搬送ローラにより搬送される原稿を読み取る読取手段と、
セットされた原稿を検出する原稿検出手段と、
原稿が前記原稿検出手段により検出された場合、当該原稿を前記搬送ローラに挟持させる搬送制御手段と、
表示部と、
前記表示部の表示を制御する表示制御手段と、
を備え、
前記表示制御手段は、
前記原稿検出手段により原稿が検出されない場合、前記表示部に第１画面に表示させ、
前記原稿検出手段により原稿が検出された場合、当該原稿を自装置から排出させるための排出指示子を有する第２画面を、前記排出指示子を有さない前記第１画面に代えて前記表示部に表示させ、
前記搬送制御手段は、前記排出指示子に対する入力を受け付けた場合、前記読取手段による原稿の読み取りを行うことなく、前記搬送ローラに挟持されている原稿を搬送して自装置から排出させることを特徴とする画像形成装置。
【請求項２】
前記表示制御手段は、前記排出指示子に対する入力を受け付けたことに応じて、前記搬送制御手段による原稿の排出が開始されたことを条件として、前記第２画面に代えて、前記第１画面を前記表示部に表示させることを特徴とする請求項１に記載の画像形成装置。
【請求項３】
前記第２画面は、前記読取手段による当該原稿の読み取りに係る設定を指定可能な画面であり、
前記表示制御手段は、
前記第２画面において原稿の読み取りに係る設定が指定されると、指定された設定内容が表示される画面であって、前記排出指示子を有さず、当該画面に代えて前記第２画面を表示させるための戻り指示子を有する第３画面を、前記第２画面に代えて前記表示部に表示させ、
前記戻り指示子に対する入力を受け付けた場合、原稿が前記搬送ローラにより挟持されている状態を維持したまま、前記第３画面に代えて、前記第２画面を表示させることを特徴とする請求項１または２に記載の画像形成装置。
【請求項４】
前記第３画面は、前記読取手段による原稿の読み取りを開始させるための開始指示子を有する画面であり、
前記第２画面は、前記開始指示子を有さない画面であり、
前記搬送制御手段は、前記開始指示子に対する入力を受け付けた場合、前記搬送ローラに挟持されている原稿を搬送させ、前記読取手段による原稿の読み取りを実行させることを特徴とする請求項３記載の画像形成装置。
【請求項５】
前記表示制御手段は、前記読取手段による原稿の読み取りを開始させる指示を受け付けた場合、当該読み取りをキャンセルさせるためのキャンセル指示子を含む第４画面を前記表示部に表示させ、
前記搬送制御手段は、前記キャンセル指示子に対する入力を受け付けた場合、前記読取手段による原稿の読み取りを完了させることなく、前記搬送ローラに挟持されている原稿を搬送して自装置から排出させ、
前記表示制御手段は、前記キャンセル指示子に対する入力を受け付けた場合、前記第４画面に代えて、前記第１画面を前記表示部に表示させることを特徴とする請求項１から４のいずれかに記載の画像形成装置。
【請求項６】
前記第２画面は、前記読取手段による当該原稿の読み取りに係る複数の設定値の組み合わせを示す１以上の設定キーを有する画面であり、
１の前記設定キーに対する入力を受け付けた場合、当該設定キーに対応する設定値の組み合わせを、原稿の読み取りに係る設定として指定する設定指定手段を備えていることを特徴とする請求項１から５のいずれかに記載の画像形成装置。
【請求項７】
開閉可能に設けられたカバーと、
前記カバーの開閉状態を検出する開閉検出手段と
前記開閉検出手段により前記カバーが開かれた状態であることが検出された場合、第１種の原稿を前記読取手段によって読み取らせる第１モードに設定し、前記開閉検出手段により前記カバーが閉じられた状態であることが検出された場合、第２種の原稿を前記読取手段によって読み取らせる第２モードに設定するモード設定手段と、
を備え、
前記搬送制御手段は、前記開閉検出手段により前記カバーが閉じられた状態であることが検出され、前記原稿検出手段に前記第２種の原稿が検出された場合、当該第２種の原稿を前記搬送ローラに挟持させ、
前記表示制御手段は、
前記搬送ローラにより前記第２種の原稿が挟持されている状態において、前記開閉検出手段によって前記カバーが開かれたことが検出された場合、前記搬送ローラにより前記第２種の原稿が挟持されている状態を維持したまま、前記カバーを閉めることを示唆する表示を前記表示部に表示させ、
前記カバーを閉めることを示唆する表示が前記表示部に表示されている状態において、前記カバーが開かれた状態から閉じられた状態に切り替えられたことが前記開閉検出手段によって検出された場合、前記排出指示子を有する第５画面を前記表示部に表示させ、
前記搬送制御手段は、前記排出指示子に対する入力を受け付けた場合、前記読取手段による原稿の読み取りを行うことなく、前記搬送ローラに挟持されている前記第２種の原稿を搬送して自装置から排出させることを特徴とする請求項１から６のいずれかに記載の画像形成装置。
【請求項８】
前記搬送制御手段は、前記開閉検出手段により前記カバーが開かれた状態であることが検出されたことを条件として、前記原稿検出手段に前記第２種の原稿が検出された場合、当該第２種の原稿を前記搬送ローラに挟持させず、
前記表示制御手段は、前記開閉検出手段により前記カバーが開かれた状態であることが検出されたことを条件として、前記原稿検出手段に前記第２種の原稿が検出された場合、所定のエラー画面を前記表示部に表示させ、
前記搬送制御手段は、前記エラー画面が前記表示部に表示された状態で、前記開閉検出手段により前記カバーが閉じられた状態であることが検出された場合、前記第２種の原稿を前記搬送ローラに挟持させ、
前記表示制御手段は、前記エラー画面が前記表示部に表示された状態で、前記開閉検出手段により前記カバーが閉じられた状態であることが検出された場合、前記エラー画面に代えて、前記第２画面を前記表示部に表示させることを特徴とする請求項７記載の画像形成装置。
【請求項９】
前記第１種の原稿を搬送する第１搬送経路と、
前記第２種の原稿を搬送する第２搬送経路と、
を備え、
前記第１搬送経路と前記第２搬送経路とは、各経路の出口側を共用する経路であり、
前記読取手段は、前記共用する経路において、前記第１搬送経路を搬送される前記第１種の原稿または前記第２搬送経路を搬送される前記第２種の原稿を読み取り、
前記搬送ローラは、前記第１搬送経路と前記第２搬送経路との合流部に設けられ、
前記搬送制御手段は、前記開閉検出手段により前記カバーが開かれた状態であることが検出されたことを条件として、前記原稿検出手段により前記第１種の原稿と前記第２種の原稿とのそれぞれが検出された場合、当該第１種の原稿および当該第２種の原稿をいずれも前記搬送ローラに挟持させず、
前記表示制御手段は、
前記エラー画面が前記表示部に表示された状態で、前記開閉検出手段により前記カバーが閉じられた状態であることが検出され、前記原稿検出手段により前記第２種の原稿が検出され、且つ、前記第１種の原稿が検出されない場合、前記エラー画面に代えて、前記第２画面を前記表示部に表示させることを特徴とする請求項８記載の画像読取装置。
【請求項１０】
前記搬送制御手段は、前記開閉検出手段により前記カバーが開かれた状態であることが検出されたことを条件として、前記原稿検出手段に前記第２種の原稿が検出された場合、当該第２種の原稿を前記搬送ローラに挟持させず、
前記表示制御手段は、
前記開閉検出手段により前記カバーが開かれた状態であることが検出されたことを条件として、前記原稿検出手段に前記第２種の原稿が検出された場合、所定のエラー画面を前記表示部に表示させ、
前記エラー画面が前記表示部に表示された状態で、前記原稿検出手段により検出されていた前記第２種の原稿が検出されなくなった場合、前記エラー画面に代えて、当該エラー画面が表示される直前に前記表示部に表示されていた前記第１モードに係る画面を前記表示部に表示させることを特徴とする請求項７から９のいずれかに記載の画像形成装置。
【請求項１１】
前記第１種の原稿を搬送する第１搬送経路と、
前記第２種の原稿を搬送する第２搬送経路と、
を備え、
前記第１搬送経路と前記第２搬送経路とは、各経路の出口側を共用する経路であり、
前記読取手段は、前記共用する経路において、前記第１搬送経路を搬送される前記第１種の原稿または前記第２搬送経路を搬送される前記第２種の原稿を読み取り、
前記搬送ローラは、前記第１搬送経路と前記第２搬送経路との合流部に設けられ、
前記搬送制御手段は、
前記開閉検出手段により前記カバーが開かれた状態であることが検出されたことを条件として、前記原稿検出手段に前記第１種の原稿と前記第２種の原稿とのそれぞれが検出された場合、当該第１種の原稿および当該第２種の原稿をいずれも前記搬送ローラに挟持させず、
前記エラー画面が前記表示部に表示された状態で、前記原稿検出手段により前記第１種の原稿が検出され、且つ、前記原稿検出手段により検出されていた前記第２種の原稿が検出されなくなった場合、前記第１種の原稿を前記搬送ローラに挟持させることを特徴とする請求項１０記載の画像形成装置。
【請求項１２】
セットされた原稿を搬送する搬送ローラと、前記搬送ローラにより搬送される原稿を読み取る読取手段と、セットされた原稿を検出する原稿検出手段と、表示部とを有する画像形成装置のコンピュータが実行可能な画像形成プログラムであって、
原稿が前記原稿検出手段により検出された場合、当該原稿を前記搬送ローラに挟持させる搬送制御手段と、
前記表示部の表示を制御する表示制御手段と、
して前記コンピュータを機能させ、
前記表示制御手段は、
前記原稿検出手段により原稿が検出されない場合、前記表示部に第１画面に表示させ、
前記原稿検出手段により原稿が検出された場合、当該原稿を自装置から排出させるための排出指示子を有する第２画面を、前記排出指示子を有さない前記第１画面に代えて前記表示部に表示させ、
前記搬送制御手段は、前記排出指示子に対する入力を受け付けた場合、前記読取手段による原稿の読み取りを行うことなく、前記搬送ローラに挟持されている原稿を搬送して自装置から排出させることを特徴とする画像形成プログラム。
【請求項１３】
セットされた原稿を搬送する搬送ローラと、
前記搬送ローラにより搬送される原稿を読み取る読取手段と、
セットされた原稿を検出する原稿検出手段と、表示部とを有する画像形成装置が実行する画像形成方法であって、
原稿が前記原稿検出手段により検出された場合、当該原稿を前記搬送ローラに挟持させる搬送制御ステップと、
前記表示部の表示を制御する表示制御ステップと、
を含み、
前記表示制御ステップは、
前記原稿検出手段により原稿が検出されない場合、前記表示部に第１画面に表示させ、
前記原稿検出手段により原稿が検出された場合、当該原稿を自装置から排出させるための排出指示子を有する第２画面を、前記排出指示子を有さない前記第１画面に代えて前記表示部に表示させ、
前記搬送制御ステップは、前記排出指示子に対する入力を受け付けた場合、前記読取手段による原稿の読み取りを行うことなく、前記搬送ローラに挟持されている原稿を搬送して自装置から排出させることを特徴とする画像形成方法。
【発明の詳細な説明】
【技術分野】
【０００１】
本発明は、画像形成装置、画像形成プログラム、および画像形成方法に関する。
【背景技術】
【０００２】
従来から、原稿がセットされたことに応じて、当該原稿の読取処理を実行するための画面に遷移する画像形成装置が知られている。例えば、特許文献１には、現在時刻モードとして現在時刻が表示された状態において、ＡＤＦ（自動原稿搬送装置）に原稿がセットされると、複写モードとして、現在時刻の表示から複写倍率などの表示に変更される複写機が開示されている。
【先行技術文献】
【特許文献】
【０００３】
【特許文献１】特開平１−１７９１７１号公報
【発明の概要】
【発明が解決しようとする課題】
【０００４】
一般に、原稿のセットを検知することに応じて、当該原稿を搬送ローラで挟持する画像形成装置が知られている。係る画像形成装置に、上述した特許文献１に記載される技術を適用した場合、原稿がセットされたことに応じて、当該原稿を搬送ローラで挟持するとともに、複写倍率など原稿の読取設定を設定するための画面に遷移させることが可能となる。その一方で、セットされた原稿が搬送ローラに挟持された後、当該原稿の読み取りを中止する場合は、原稿が搬送ローラに挟持されているため、ユーザが原稿を引き抜くことにより、当該原稿が破れたり、傷付く虞がある。そのため、係る場合には、搬送ローラを回転させて当該原稿を排出させる必要がある。しかしながら、特許文献１に記載される技術では、原稿が搬送ローラに挟持された状態において、当該原稿の読み取りを中止して当該原稿を排出させることは考慮されていない。
【０００５】
本発明は、上述した事情を鑑みてなされたものであり、搬送ローラに挟持された原稿の読み取りを中止して当該原稿を排出させる場合の操作性が向上された画像形成装置、画像形成プログラム、および画像形成方法を提供することを目的とする。
【課題を解決するための手段】
【０００６】
この目的を達成するために、本発明の画像形成装置は、セットされた原稿を搬送する搬送ローラと、前記搬送ローラにより搬送される原稿を読み取る読取手段と、セットされた原稿を検出する原稿検出手段と、原稿が原稿検出手段により検出された場合、当該原稿を前記搬送ローラに挟持させる搬送制御手段と、表示部と、前記表示部の表示を制御する表示制御手段と、を備え、前記表示制御手段は、前記原稿検出手段により原稿が検出されない場合、前記表示部に第１画面に表示させ、前記原稿検出手段により原稿が検出された場合、当該原稿を自装置から排出させるための排出指示子を有する第２画面を、前記排出指示子を有さない前記第１画面に代えて前記表示部に表示させ、前記搬送制御手段は、前記排出指示子に対する入力を受け付けた場合、前記読取手段による原稿の読み取りを行うことなく、前記搬送ローラに挟持されている原稿を搬送して自装置から排出させる。
【０００７】
本発明は、画像形成装置を制御する制御装置、画像形成システム、画像形成方法、画像形成プログラム、画像形成プログラムを記録する記録媒体など、種々の態様で実現可能である。
【発明の効果】
【０００８】
請求項１記載の画像形成装置によれば、原稿検出手段により原稿が検出されない場合には、排出指示子を有さない第１画面が表示部に表示される。一方、原稿が原稿検出手段により検出されると、当該原稿が搬送ローラに挟持されるとともに、当該原稿を自装置から排出させるための排出指示子を有する第２画面が、第１画面に代えて表示部に表示される。そして、排出指示子に対する入力を受け付けた場合、搬送ローラに挟持されている原稿が、読取手段による原稿の読み取りを行うことなく、搬送されて自装置から排出される。よって、原稿が、原稿検出手段により検出されたことに応じて搬送ローラに挟持された状態であっても、当該原稿を、第２画面の排出指示子を用いて排出できるので、ユーザが当該原稿を引き抜く必要がなく、当該原稿の破損を抑制することができる。よって、原稿が搬送ローラに挟持された状態において、当該原稿の読み取りを中止させる際の操作性を向上させることができる。なお、原稿が「セットされた」状態とは、原稿が給紙トレイや原稿トレイなどのトレイに載置された状態や、原稿が原稿挿入口に挿入された状態などを含む。
【０００９】
請求項２記載の画像形成装置によれば、請求項１が奏する効果に加え、次の効果を奏する。排出指示子に対する入力を受け付けたことに応じて、原稿の排出が開始されたことを条件として、第２画面に代えて、第１画面が表示部に表示される。よって、原稿が検出されない状態の画面（第１画面）に戻るので、引き続き、原稿をセットすることによって、当該原稿の読み取りを行うことができる。
【００１０】
請求項３記載の画像形成装置によれば、請求項１または２が奏する効果に加え、次の効果を奏する。第２画面は、原稿の読み取りに係る設定を指定可能な画面であり、当該第２画面において原稿の読み取りに係る設定が指定されると、当該第２画面に代えて、第３画面が表示部に表示される。当該第３画面は、指定された設定内容が表示される画面であって、当該画面に代えて第２画面を表示させるための戻り指示子を有する画面である。そして、戻り指示子に対する入力を受け付けた場合には、原稿が搬送ローラにより挟持されている状態を維持したまま、第３画面に代えて、第２画面が表示される。よって、原稿の読み取りに係る設定を変更したい場合に、原稿を排出することなく、第３画面から第２画面を再度表示させて、当該設定を変更できる。また、当該第３画面は、排出指示子を有さないので、誤って原稿を排出させてしまうことを防止できる。
【００１１】
請求項４記載の画像形成装置によれば、請求項３が奏する効果に加え、次の効果を奏する。第３画面は、原稿の読み取りを開始させるための開始指示子を有し、開始指示子に対する入力を受け付けた場合、搬送ローラに挟持されている原稿が搬送されて、読取手段による原稿の読み取りが実行される。よって、ユーザは、指定された設定内容が表示される画面を確認した上で、原稿の読み取りを実行できる。一方で、第２画面は、当該開始指示子を有さないので、ユーザの意図通りでない読取設定での原稿の読み取りを防止できる。
【００１２】
請求項５記載の画像形成装置によれば、請求項１から４のいずれかが奏する効果に加え、次の効果を奏する。原稿の読み取りを開始させる指示を受け付けると、当該読み取りをキャンセルさせるためのキャンセル指示子を含む第４画面が表示部に表示される。当該キャンセル指示子に対する入力を受け付けた場合には、読取手段による原稿の読み取りを完了させることなく、搬送ローラに挟持されている原稿が搬送されて自装置から排出される。よって、読み取りの開始を指示した後であっても、当該読み取り対象の原稿を、第４画面のキャンセル指示子を用いて排出できるので、当該原稿の読み取りを中止させる際の操作性を向上させることができる。また、当該キャンセル指示子に対する入力を受け付けた場合には、第４画面に代えて、原稿が検出されない状態の画面（第１画面）が表示されるので、引き続き、原稿をセットすることによって、当該原稿の読み取りを行うことができる。
【００１３】
請求項６記載の画像形成装置によれば、請求項１から５のいずれかが奏する効果に加え、次の効果を奏する。第２画面は、原稿の読み取りに係る複数の設定値の組み合わせを示す１以上の設定キーを有する。そして、１の設定キーに対する入力を受け付けた場合、当該設定キーに対応する設定値の組み合わせが、原稿の読み取りに係る設定として指定される。よって、原稿の読み取りに係る設定を容易に指定できる。
【００１４】
請求項７記載の画像形成装置によれば、請求項１から６のいずれかが奏する効果に加え、次の効果を奏する。カバーが閉じられた状態であることが検出され、第２種の原稿が検出された場合には、当該第２種の原稿が搬送ローラに挟持される。カバーの開閉状態に応じて、第１モードまたは第２モードが設定されるので、搬送ローラにより第２種の原稿が挟持されている状態において、カバーが開かれたことが検出された場合には、モードが、第２モードから第１モードに変更される。そのため、カバーが開かれてモードが第１モードに設定されたことによって、搬送ローラにより挟持される第２種の原稿を搬送できず排出できない可能性がある。かかる問題に対し、請求項７によれば、搬送ローラにより第２種の原稿が挟持されている状態において、カバーが開かれたことが検出された場合、カバーを閉めることを示唆する表示が表示されるので、ユーザは、カバーを閉じる必要があることを認識できる。そして、当該表示が表示部に表示されている状態において、カバーが開かれた状態から閉じられた状態に切り替えられたことが検出された場合には、排出指示子を有する第５画面が表示部に表示される。よって、第５画面における排出指示子に対する入力を行うことにより、搬送ローラに挟持されている第２種の原稿を排出できる。これにより、例えば、モードが第２モードに設定されている状態で、第２種の原稿が検出されたことをトリガとして、読み取り機能が開始されたものの、カバーが開かれ、モードが第１モードに設定されたことによって、開始された読み取り機能がキャンセルされた場合であっても、搬送ローラに挟持されている第２種の原稿を排出できる。
【００１５】
請求項８記載の画像形成装置によれば、請求項７が奏する効果に加え、次の効果を奏する。カバーが開かれた状態であることが検出されたことを条件として、第２種の原稿が検出された場合には、当該第２種の原稿が搬送ローラに挟持されず、所定のエラー画面が表示部に表示される。よって、ユーザは、エラー画面に基づいて、モードが第２モードでなく第１モードに設定されている状態で、第２種の原稿をセットすることがエラーであることを認識できる。そして、当該エラー画面が表示部に表示された状態で、カバーが閉じられた状態であることが検出されると、第２種の原稿を搬送ローラに挟持させるとともに、当該エラー画面に代えて、第２画面が表示部に表示される。よって、モードが第２モードでなく第１モードに設定されている状態で、第２種の原稿をセットしたとしても、カバーを閉じることによって、当該第２種の原稿の読み取りを行わせることができる。
【００１６】
請求項９記載の画像形成装置によれば、請求項８が奏する効果に加え、次の効果を奏する。搬送ローラは、第１種の原稿を搬送する第１搬送経路と、第２種の原稿を搬送する第２搬送経路との合流部に設けられる。カバーが開かれた状態であることが検出されたことを条件として、第１種の原稿と第２種の原稿とのそれぞれが検出された場合には、当該第１種の原稿および当該第２種の原稿はいずれも搬送ローラに挟持されない。そして、エラー画面が表示部に表示された状態で、カバーが閉じられた状態であることが検出されるとともに、第２種の原稿が検出され、且つ、第１種の原稿が検出されない場合には、エラー画面に代えて、第２画面が表示部に表示される。よって、第１種の原稿と第２種の原稿とが同時に搬送ローラに挟持されることを防止できるので、用紙詰まりを防止できる。
【００１７】
請求項１０記載の画像形成装置によれば、請求項７から９のいずれかが奏する効果に加え、次の効果を奏する。カバーが開かれた状態であることが検出されたことを条件として、第２種の原稿が検出された場合には、当該第２種の原稿が搬送ローラに挟持されず、所定のエラー画面が表示部に表示される。よって、ユーザは、エラー画面に基づいて、モードが第２モードでなく第１モードに設定されている状態で、第２種の原稿をセットすることがエラーであることを認識できる。また、カバーが開かれている場合に第２種の原稿をセットしたとしても、当該第２種の原稿は搬送ローラに挟持されないので、当該第２種の原稿を容易に取り出すことが可能である。そして、当該エラー画面が表示部に表示された状態で、第２種の原稿が検出されなくなった場合には、当該エラー画面に代えて、当該エラー画面が表示される直前に表示部に表示されていた第１モードに係る画面が表示部に表示される。よって、カバーを開いて、モードを第１モードに設定した状態で、第２種の原稿をセットしてしまったとしても、当該第２種の原稿を取り出すことにより、第２種の原稿をセットする直前の状態から、第１種の原稿の読み取りを継続できる。
【００１８】
請求項１１記載の画像形成装置によれば、請求項１０が奏する効果に加え、次の効果を奏する。搬送ローラは、第１種の原稿を搬送する第１搬送経路と、第２種の原稿を搬送する第２搬送経路との合流部に設けられる。カバーが開かれた状態であることが検出されたことを条件として、第１種の原稿と第２種の原稿とのそれぞれが検出された場合には、当該第１種の原稿および当該第２種の原稿はいずれも搬送ローラに挟持されない。そして、エラー画面が表示部に表示された状態で、第１種の原稿が検出され、且つ、第２種の原稿が検出されなくなった場合には、第１種の原稿が前記搬送ローラに挟持される。よって、第１種の原稿と第２種の原稿とが同時に搬送ローラに挟持されることを防止できるので、用紙詰まりを防止できる。
【００１９】
請求項１２記載の画像形成プログラムによれば、請求項１記載の画像形成装置と同様の効果を奏する。請求項１３記載の画像形成方法によれば、請求項１記載の画像形成装置と同様の効果を奏する。
【図面の簡単な説明】
【００２０】
【図１】（ａ）および（ｂ）は、それぞれ、ＣＤＳを、右前方および右後方から見た斜視図である。
【図２】ＣＤＳのカバーを開いた状態で右前方から見た斜視図である。
【図３】（ａ）および（ｂ）は、それぞれ、図１（ａ）のＩＩＩａ−ＩＩＩａ線および図２のＩＩＩｂ−ＩＩＩｂ線におけるＣＤＳの模式的な断面図である。
【図４】ＣＤＳの電気的構成を示すブロック図である。
【図５】ＣＤＳのＬＣＤに表示される画面の画面遷移図の一例である。
【図６】ＣＤＳのＬＣＤに表示される画面の画面遷移図の一例である。
【図７】ＣＤＳのＬＣＤに表示される画面の画面遷移図の一例である。
【図８】カード読取処理を示すフローチャートである。
【図９】機能実行処理を示すフローチャートである。
【発明を実施するための形態】
【００２１】
以下、本発明の好ましい実施形態について、添付図面を参照して説明する。図１（ａ）および（ｂ）は、それぞれ、本発明の画像読取装置の一実施形態であるコンパクトドキュメントスキャナ（以下「ＣＤＳ」と称す）１を、右前方および右後方から見た斜視図である。図１（ａ）および（ｂ）には、カバー３が、本体部２に対し閉じられた状態を図示する。なお、図１〜図３の各図において、ＣＤＳ１の上方を矢印Ｕで、下方を矢印Ｂｏで、前方を矢印Ｆで、後方を矢印Ｂａで、右方を矢印Ｒで、左方を矢印Ｌで表わしている。本実施形態のＣＤＳ１は、Ａ４普通紙などのシート状の原稿と、免許証やクレジットカードや名刺などのサイズの小さい厚手の原稿とを読み取り可能なスキャナ（画像形成装置）として構成される。以下、前者の原稿を「ドキュメント」と称し、後者の原稿を「カード」と称す。
【００２２】
ＣＤＳ１は、ドキュメントまたはカードを読み取る画像読取センサ１８（図３（ａ）および（ｂ）参照）を内蔵する本体部２と、本体部２に対し開閉可能に取り付けられたカバー３とを有する。本体部２の前面には、画像読取センサ１８により読み取ったドキュメントＤ（図２参照）またはカードＣを排出するための排出口２ａが設けられている。排出口２ａは、本体の右側に設けられた排出口２ａ１と、排出口２ａ１を一部共用し、本体部２の左右方向のほぼ全体に延びる排出口２ａ２とを含む。排出口２ａ１は、カードＣを排出するための排出口であり、排出口２ａ２は、ドキュメントＤを排出するための排出口である。そのため、排出口２ａ１および排出口２ａ２の上下方向高さは、それぞれ、排出対象であるカードＣおよびドキュメントＤの厚みを反映し、前者の方が後者に比べて高い。一方、本体部２の背面には、カードＣを本体部２に挿入するための挿入口２ｂが設けられている。挿入口２ｂに挿入されたカードＣは、第１経路Ｖ１（図３（ａ）参照）を搬送され、画像読取センサ１８に読み取られる。画像読取センサ１８に読み取られたカードＣは、排出口２ａ１から排出される。よって、本実施形態のＣＤＳ１は、カバー３を閉じた状態でカードＣを画像読取センサ１８に読み取らせることができる。
【００２３】
また、本体部２の上面には、各種情報を表示するＬＣＤ１６が設けられている。一方、カバー３には、カバー３を閉じた状態でＬＣＤ１６に対応する位置に開口３ｃが形成されている。よって、ユーザは、カバー３を閉じた状態であっても開口３ｃを介してＬＣＤ１６に表示された画面を視認することができる。ＬＣＤ１６には、タッチパネル１７が重ねられており、ユーザは、カバー３を閉じた状態であっても開口３ｃを介して、タッチパネル１７を指などによってタッチして、ＣＤＳ１に指示を入力できる。
【００２４】
カバー３は、第１カバー３ａと、第２カバー３ｂとを含む。第１カバー３ａは、ヒンジ（図示せず）を介して、回動軸Ｑ１を中心に回動可能に本体部２に取り付けられる。カバー３は、第１カバー３ａを、回動軸Ｑ１を中心に矢印Ｊａ方向に回転させることによって、本体部２に対して閉じることができる。第１カバー３ａは、カバー３を閉じた状態において、本体部２の上面を覆う。一方、第２カバー３ｂは、ヒンジ（図示せず）を介して、回動軸Ｑ２を中心に回動可能に第１カバー３ａに取り付けられる。カバー３を閉じる場合、第２カバー３ｂを、回動軸Ｑ２を中心に矢印Ｋａ方向に回転させることによって、第１カバー３ａに対して折り畳むことができる。よって、第２カバー３ｂは、カバー３を閉じた状態において、本体部２の前面のうち、排出口２ａより上方側を覆う。
【００２５】
図２は、ＣＤＳ１のカバー３を開いた状態で右前方から見た斜視図である。カバー３は、第１カバー３ａを、回動軸Ｑ１を中心に矢印Ｊｂ方向に回転させることによって、本体部２に対して開くことができる。カバー３を開く場合、第２カバー３ｂを、回動軸Ｑ２を中心に矢印Ｋｂ方向に回転させることによって、第１カバー３ａに対してさらに開くことができ、その結果、第２カバー３ｂの裏面３ｂ１と、第１カバー３ａの裏面３ａ１とを平らに合わせることができる。平らに合わされたこれら面３ａ１，３ｂ１は、読み取り対象とするドキュメントＤを載置する給紙トレイとして機能する。
【００２６】
本体部２の上面には、ドキュメントＤを本体部２に挿入するための挿入口２ｃが設けられている。載置台にセットされた（載置された）ドキュメントＤは、挿入口２ｃから挿入され、本体内部に形成された第２経路Ｖ２（図３（ｂ）参照）を搬送され、画像読取センサ１８に読み取られる。画像読取センサ１８に読み取られたドキュメントＤは、排出口２ａ２（排出口２ａ）から排出される。図２に示すように、挿入口２ｃは、カバー３を開くことによって露出される。よって、本実施形態のＣＤＳ１は、カバー３を開いた状態に限って、ドキュメントＤを画像読取センサ１８に読み取らせることができる。
【００２７】
本体部２の上面には、操作キー１５（図４参照）として、Ｂａｃｋキー１５ａと、Ｈｏｍｅキー１５ｂと、Ｃａｎｃｅｌキー１５ｃとが設けられる。Ｂａｃｋキー１５ａは、ＬＣＤ１６に表示されている画面を、当該画面に代えて、当該画面の前に表示されていた画面に切り替えるためのキーである。Ｈｏｍｅキー１５ｂは、カバー３が開かれている状態においてＬＣＤ１６に表示されるホーム画面、すなわち、ＣＤＳ１の状態に応じたツリー構造の画面群のうち、最上位の画面を表示させるためのキーである。Ｃａｎｃｅｌキー１５ｃは、実行中の処理、例えば、読み取り処理などをキャンセルさせるためのキーである。ユーザは、これらのキー１５ａ〜１５ｃを適宜操作することによって、各キー１５ａ〜１５ｃに対応付けられている処理を実行できる。なお、キー１５ａ〜１５ｃは、カバー３を閉じた場合に、当該カバー３によって覆われる位置に設けられる。よって、キー１５ａ〜１５ｃは、カバー３を開いた状態においてのみ操作可能であり、カバー３を閉じた場合には操作することができない。
【００２８】
図３（ａ）は、図１（ａ）のＩＩＩａ−ＩＩＩａ線におけるＣＤＳ１の模式的な断面図である。つまり、カバー３が閉じられた状態にあるＣＤＳ１の断面図を、図３（ａ）に示す。本実施形態のＣＤＳ１は、カバー３（３ａ，３ｂ）を閉じた状態において、挿入口２ｂから挿入されたカードＣを読み取り可能に構成される。本体部２には、挿入口２ｂから延びる経路１０１と、経路１０１に連設されて排出口２ａ２（排出口２ａ）まで延びる経路１０２とが設けられる。経路１０２の経路１０１側には、一対の搬送ローラ１０４，１０５が、互いに圧接された状態でそれぞれ回動可能に設けられる。
【００２９】
搬送ローラ１０４，１０５は、駆動モータ１９（図４参照）により回動され、この回動力によってカードＣを排出口２ａ２側へ搬送する。一方、経路１０２の排出口２ａ２側には、一対の排紙ローラ１０６，１０７が、互いに圧接された状態でそれぞれ回動可能に設けられる。排紙ローラ１０６，１０７もまた、駆動モータ１９により回動され、この回動力によってカードＣを排出口２ａ２側から排出する。
【００３０】
挿入口２ｂの近傍にはカード検知センサ２１が設けられる。カバー３が閉じられた状態で、挿入口２ｂから挿入されたカードＣがカード検知センサ２１に検知された場合、搬送ローラ１０４，１０５は、当該カードＣを挟持した（ニップした）状態で一旦停止される。その後、読み取り開始の指示が入力されたことを条件として、搬送ローラ１０４，１０５は再度回動され、挟持したカードＣを排出口２ａ２側へ搬送させる。搬送ローラ１０４，１０５によって搬送されたカードＣは、次いで、排紙ローラ１０６，１０７によって挟持され、排紙ローラ１０６，１０７の回動によって排出口２ａ２から排出される。本実施形態のＣＤＳ１は、カバー３が開かれた状態で、挿入口２ｂから挿入されたカードＣがカード検知センサ２１に検知された場合には、カードＣを搬送ローラ１０４，１０５によって挟持しないように構成される。
【００３１】
搬送ローラ１０４，１０５と排紙ローラ１０６，１０７との間には、経路１０２を通過するカードＣの面の画像読み取りを行うことが可能な画像読取センサ１８が設けられる。本実施形態では、画像読取センサ１８として、カードＣの一方の面（例えば、表面）の画像を読み取るための第１画像読取センサ１８ａと、他方の面（例えば、裏面）の画像を読み取るための第２画像読取センサ１８ｂとが設けられている。よって、挿入口２ｂから挿入されたカードＣは、経路１０１と経路１０２とからなる第１経路Ｖ１を通過し、少なくとも一方の面の画像を画像読取センサ１８（１８ａ，１８ｂ）で読み取った後、排出口２ａ２から排出される。第１経路Ｖ１は、挿入口２ｂから排出口２ａ１まで略水平に形成されているので、厚手なカードＣであってもスムースに搬送することができ、原稿詰まりを起こし難い。
【００３２】
図３（ｂ）は、図２のＩＩＩｂ−ＩＩＩｂ線におけるＣＤＳ１の模式的な断面図である。つまり、カバー３が開かれた状態にあるＣＤＳ１の断面図を、図３（ｂ）に示す。本体部２には、ドキュメントＤを挿入するための挿入口２ｃが設けられており、挿入口２ｃは、カバー３を開いた場合に露出されて使用可能となる。このように、本実施形態のＣＤＳ１は、カバー３（３ａ，３ｂ）を開いた状態において、挿入口２ｃから挿入されたドキュメントＤを読み取り可能に構成される。本体部２には、挿入口２ｃから延びる経路１０３が設けられており、経路１０３は、経路１０２に連設される。図３（ｂ）に示す通り、ドキュメント用の経路１０３、および、上述したカード用の経路１０１は、合流部１０９において合流し、それぞれが、経路１０２に接続される。つまり、経路１０２は、ドキュメントＤおよびカードＣの両方を搬送する共用の搬送経路である。
【００３３】
経路１０３には、給紙ローラ１０８が設けられる。給紙ローラ１０８は、駆動モータ１９（図４参照）により回動され、この回動力によって、給紙トレイとして機能するカバー３にセットされたドキュメントＤを経路１０３に案内する。給紙経路１０３に案内されたドキュメントＤは、搬送ローラ１０４，１０５によって挟持され、搬送ローラ１０４，１０５の回動によって排出口２ａ２（排出口２ａ）側へ搬送される。次に、搬送ローラ１０４，１０５によって搬送されるドキュメントＤは、排紙ローラ１０６，１０７によって挟持され、排紙ローラ１０６，１０７の回動によって排出口２ａ２から排出される。よって、挿入口２ｃから挿入されたドキュメントＤは、経路１０３と経路１０２とからなる第２経路Ｖ２を通過し、少なくとも一方の面の画像を画像読取センサ１８（１８ａ，１８ｂ）で読み取った後、排出口２ａ２から排出される。
【００３４】
図４は、ＣＤＳ１の電気的構成を示すブロック図である。ＣＤＳ１には、ＣＰＵ１１、フラッシュメモリ１２、ＲＡＭ１３、操作キー１５、ＬＣＤ１６、タッチパネル１７、画像読取センサ１８、駆動モータ１９、カバー開閉検知センサ２０、カード検知センサ２１、ドキュメント検知センサ２２、ＵＳＢインターフェイス（ＵＳＢ＿Ｉ／Ｆ）２３、ネットワークインターフェイス（ネットワークＩ／Ｆ）２４が主に設けられる。これらの各部１１〜１３，１５〜２４は、バスライン２５を介して互いに接続される。
【００３５】
ＣＰＵ１１は、フラッシュメモリ１２に記憶される固定値やプログラム、ＲＡＭ１３に記憶されているデータに従って、ＣＤＳ１の各部を制御する。フラッシュメモリ１２は、不揮発性のメモリであり、ＣＤＳ１の動作を制御する制御プログラム１２ａや、読み取り解像度などの読取設定値などが格納される。なお、後述する図５〜図７の画面遷移図に示される各画面の表示制御や、図８及び図９のフローチャートに示す各処理は、制御プログラム１２ａに従いＣＰＵ１１により実行される。
【００３６】
例えば、ＣＰＵ１１は、制御プログラム１２ａに従い、カバー３がとじられている状態で、挿入口２ｂから挿入されたカードＣを搬送ローラ１０４，１０５間に挟持させる制御を実行する一方で、カバー３が開かれている状態で、挿入口２ｂから挿入されたカードＣを搬送ローラ１０４，１０５間に挟持させる制御をＣＰＵ１１に実行させないように構成される。また、ＣＰＵ１１は、制御プログラム１２ａに従い、原稿の読取モードを、カバー３の開閉状態に応じて設定する。具体的に、ＣＰＵ１１は、カバー３を閉じた場合に、原稿の読取モードを、挿入口２ｂから挿入されたカードＣを読み取るカード読取モードに設定し、カバー３を開いた場合に、原稿の読取モードを、挿入口２ｃから挿入されたドキュメントＤを読み取るドキュメント読取モードに設定する。
【００３７】
ＲＡＭ１３は、ＣＰＵ１１の処理に必要な情報を一時的に記憶する書換可能な揮発性のメモリである。ＲＡＭ１３には、画像読取センサ１８により読み取った読取画像データが記憶される。操作キー１５はハードキーであり、ＣＤＳ１に各種の設定値や指示などを入力する。操作キー１５は、上述したＢａｃｋキー１５ａと、Ｈｏｍｅキー１５ｂと、Ｃａｎｃｅｌキー１５ｃとを含む。ＬＣＤ１６は液晶表示装置である。タッチパネル１７は、指や棒などの指示体を接触または接近させることによって、ＣＤＳ１に指示などを入力する。画像読取センサ１８（第１画像読取センサ１８ａ，第２画像読取センサ１８ｂ）は、画像の濃淡を光学的に検出して画像を読み取るセンサである。画像読取センサ１８としては、例えば、ＣＩＳ（Ｃｏｎｔａｃｔ  Ｉｍａｇｅ  ｓｅｎｓｏｒ）や、ＣＣＤ（Ｃｈａｒｇｅ  Ｃｏｕｐｌｅｄ  Ｄｅｖｉｃｅ）などの周知のセンサを採用できる。駆動モータ１９は、各ローラ１０４〜１０８をそれぞれ回動させる駆動力を与えるモータである。ＵＳＢ＿Ｉ／Ｆ２３は、ＵＳＢプラグを介して、例えば、ＵＳＢメモリなどの記憶媒体や、パーソナルコンピュータ（ＰＣ）やハードディスクなどの他の装置を通信可能に接続するための装置であり、周知の装置で構成される。ネットワーク＿Ｉ／Ｆ２４は、ＣＤＳ１を、ＬＡＮやインターネットなどのネットワーク（図示せず）に接続するためのインターフェイスである。
【００３８】
カバー開閉検知センサ２０は、カバー３の開閉状態を検知するセンサであり、カバー３が開かれているか、閉じられているかに応じた信号をＣＰＵ１１に出力する。カバー開閉検知センサ２０は、例えば、カバー３が閉じられている場合に、ハイの信号をＣＰＵ１１に出力する。ＣＰＵ１１は、カバー開閉検知センサ２０から入力された信号に基づき、カバー３の開閉状態を判断する。カバー開閉検知センサ２０としては、光学的センサや、接触式センサや、磁気センサなどの周知のセンサを採用できる。カード検知センサ２１は、挿入口２ｂに挿入された（セットされた）カードＣを検知するセンサである。カード検知センサ２１は、例えば、光学的センサなどの周知のセンサを採用でき、例えば、カードＣが挿入口２ｂに挿入されると、ハイの信号をＣＰＵ１１に出力する。ＣＰＵ１１は、カード検知センサ２１から入力された信号に基づき、カードＣが挿入口２ｂに挿入されているか否かを判断する。ドキュメント検知センサ２２は、開かれたカバー３からなる給紙トレイ上にセットされた（載置された）ドキュメントＤを検知するセンサである。ドキュメント検知センサ２２は、例えば、接触式センサなどの周知のセンサを採用でき、例えば、ドキュメントＤが給紙トレイ上にセットされると、ハイの信号をＣＰＵ１１に出力する。ＣＰＵ１１は、ドキュメント検知センサ２２から入力された信号に基づき、ドキュメントＤが給紙トレイ上にセットされているか否かを判断する。
【００３９】
本実施形態のＣＤＳ１は、読取モードがカード読取モードであることを条件として、挿入口２ｂに挿入されたカードＣを搬送ローラ１０４，１０５に挟持させる（ニップさせる）ように構成される。よって、カバー３を開いた状態で、カードＣを挿入口２ｂに挿入したとしても、当該カードＣは、搬送ローラ１０４，１０５に挟持されない。また、ＣＤＳ１は、読取モードがカード読取モードである場合に、カードＣがカード検知センサ２１により検知されたことをトリガとして、カードＣの読み取り機能を開始する。なお、このように開始された読み取り機能は、カードＣの読み取りが完了して排出口２ａ１から排出された場合、または、カバー３が開かれたことによって、読取モードがドキュメント読取モードに変更された場合に終了される。また、ＣＤＳ１は、カバー３が閉じられていることを条件として、搬送ローラ１０４，１０５に挟持されたカードＣを、第１経路Ｖ１に沿って、下流側、すなわち、排出口２ａ１側に搬送させる。よって、カードＣの読み取り機能が開始された後であっても、カバー３を開いた場合、搬送ローラ１０４，１０５に挟持されたカードＣの搬送を行うことができない。
【００４０】
一方、本実施形態のＣＤＳ１は、読取モードがドキュメント読取モードであることを条件として、画像読取センサ１８によるドキュメントＤの読み取りの実行を指示するための操作キー（図示せず）が操作された場合に、ドキュメントＤの読み取りを開始し、給紙トレイ上にセットされたドキュメントＤを、第２経路Ｖ２に沿って、下流側、すなわち、排出口２ａ２側に搬送させる。上述した通り、カバー３を開いた状態では、カードＣを挿入口２ｂに挿入したとしても、当該カードＣは、搬送ローラ１０４，１０５に挟持されず、カードＣが搬送ローラ１０４，１０５に挟持されていたとしても、当該カードＣは、搬送されないので、カバー３を開いた状態において、合流部１０９におけるカードＣとドキュメントＤとによる原稿詰まりが防止される。
【００４１】
図５および図６は、ＣＤＳ１のＬＣＤ１６に表示される画面の画面遷移図の一例である。なお、図５および図６には、必要に応じて、ＣＰＵ１１が画面の遷移に伴い実行する処理が図示される。カバー３が閉じられ、原稿の読取モードがカード読取モードに設定されると、ＣＰＵ１１は、カード読取モードにおける待機画面５１をＬＣＤ１６に表示させる。待機画面５１が表示されている状態で、ＣＰＵ１１が、カード検知センサ２１から入力された信号に基づき、カードＣが挿入口２ｂに挿入されたと判断した場合（Ｔ１）、ＣＰＵ１１は、駆動モータ１９を動作させ、挿入されたカードＣを、搬送ローラ１０４，１０５間に挟持させた状態で停止させる（Ｓ１）。上述した通り、カード読取モードにおいて、カード検知センサ２１によりカードＣの挿入が検知されたことがトリガとなって、カードＣの読み取り機能が開始される。よって、ＣＰＵ１１は、Ｓ１の処理を行った後、待機画面５１に代えて、スキャン設定指定画面５２をＬＣＤ１６に表示させる。
【００４２】
スキャン設定指定画面５２は、画像読取センサ１８によるカードＣの読み取りに係る読取設定値をユーザに指定させるための画面である。スキャン設定指定画面５２には、デフォルトキー５２ａと、３つのショートカットキー５２ｂ〜５２ｄとが表示される。デフォルトキー５２ａおよびショートカットキー５２ｂ〜５２ｄは、それぞれ、複数の読取設定値の組み合わせから構成されるスキャン設定を指定可能なソフトキーである。ＣＰＵ１１は、制御プログラム１２ａに従い、デフォルトキー５２ａおよびショートカットキー５２ｂ〜５２ｄのうち、１のキーに対する入力操作（本実施形態では、タッチ）を受け付けた場合、スキャン設定、すなわち、複数の読取設定値の組み合わせを指定する。よって、ユーザは、デフォルトキー５２ａおよびショートカットキー５２ｂ〜５２ｄのいずれかをタッチすることによって、スキャン設定を容易に指定できる。なお、本実施形態において、スキャン設定は、読み取りをカラーで行うかモノクロで行うかを示す設定値（Ｓｃａｎ  Ｔｙｐｅ）と、読み取りの解像度を示す設定値（Ｒｅｓｏｌｕｔｉｏｎ）と、読み取った画像データから生成されるファイルの形式を示す設定値（Ｆｉｌｅ  Ｔｙｐｅ）とから構成されるものとするが、各キー５２ａ〜５２ｄにより指定可能なスキャン設定は、これらの読取設定値の組み合わせに限られるものではない。
【００４３】
デフォルトキー５２ａには、デフォルトのスキャン設定が対応付けられる。一方、ショートカットキー５２ｂ〜５２ｄには、ユーザが任意に設定したスキャン設定が対応付けられる。デフォルトキー５２ａ、または、ショートカットキー５２ｂ〜５２ｄのうちスキャン設定が対応付けられているキーに対するタッチを、ＣＰＵ１１が検出した場合（Ｔ３）、ＣＰＵ１１は、スキャン設定指定画面５２に代えて、スキャン実行前画面５３をＬＣＤ１６に表示させる。
【００４４】
スキャン設定画面５２には、排出キー５２ｅが表示される。排出キー５２ｅは、搬送ローラ１０４，１０５間に挟持されているカードＣを、画像読取センサ１８による読み取りを行うことなく排出させることを指示するためのソフトキーである。排出キー５２ｅに対するタッチを、ＣＰＵ１１が検出した場合（Ｔ２）、ＣＰＵ１１は、駆動モータ１９を動作させ、搬送ローラ１０４，１０５間に挟持されているカードＣを下流側に搬送させ、排紙ローラ１０６，１０７を用いて、排出口２ａ１から排出させる（Ｓ２）。
【００４５】
上述した通り、本実施形態のＣＤＳ１は、カードＣの挿入がカード検知センサ２１により検知されると、当該カードＣを搬送ローラ１０４，１０５間に挟持させる（ニップさせる）ように構成されている。カードＣが、搬送ローラ１０４，１０５間に挟持された状態で、カードＣを無理やりに引き抜いた場合、カードＣが損傷される可能性がある。これに対し、本実施形態のＣＤＳ１によれば、スキャン設定指定画面５２内に排出キー５２ｅが表示されるので、ユーザは、カードＣが搬送ローラ１０４，１０５間に挟持された後であっても、排出キー５２ｅを用いて、当該カードＣを排出させることができる。
【００４６】
ＣＰＵ１１は、Ｓ２の処理を行った後、カードＣが挿入口２ｂから排出されたと判断した場合、スキャン設定指定画面５２に代えて、待機画面５１をＬＣＤ１６に表示させる。よって、カードＣを排出させた後は、カードＣの挿入が検出されない状態の画面（待機画面５１）に戻るので、引き続き、カードＣを挿入することによって、当該カードＣの読み取りを行うことができる。
【００４７】
スキャン実行前画面５３は、ユーザが指定したスキャン設定を当該ユーザに確認させるための画面である。スキャン実行前画面５３には、表示領域５３ａが設けられる。表示領域５３ａには、デフォルトキー５２ａおよびショートカットキー５２ｂ〜５２ｄのうち、当該画面５３を表示させる契機となったキーに対応付けられているスキャン設定、すなわち、ユーザが指定したスキャン設定の内容が表示される。スキャン実行前画面５３には、Ｂａｃｋキー５３ｂと、Ｓｔａｒｔキー５３ｃとが表示される。Ｂａｃｋキー５３ｂは、表示中の画面（スキャン実行前画面５３）に代えて、前画面であるスキャン設定指定画面５２を表示させることを指示するためのソフトキーである。Ｂａｃｋキー５３ｂに対するタッチを、ＣＰＵ１１が検出した場合（Ｔ４）、ＣＰＵ１１は、スキャン実行前画面５３に代えて、スキャン設定指定画面５２をＬＣＤ１６に表示させる。一方、Ｓｔａｒｔキー５３ｃは、画像読取センサ１８によるカードＣの読み取りの実行を指示するためのソフトキーである。Ｓｔａｒｔキー５３ｃに対するタッチを、ＣＰＵ１１が検出した場合（Ｔ５）、ＣＰＵ１１は、駆動モータ１９を動作させ、搬送ローラ１０４，１０５間に挟持されているカードＣを下流側に搬送させ、画像読取センサ１８によるカードＣの読み取りを開始する（Ｓ３）。ＣＰＵ１１は、Ｓ３の処理の実行に伴い、スキャン実行前画面５３に代えて、スキャン実行中画面５４をＬＣＤ１６に表示させる。
【００４８】
よって、ユーザは、表示領域５３ａに表示されたスキャン設定が所望する設定であるかを確認した上で、Ｓｔａｒｔキー５３ｃをタッチすることによって、カードＣの読み取りを開始できる。一方、ユーザは、表示領域５３ａに表示されたスキャン設定が所望する設定でない場合、Ｂａｃｋキー５３ｂをタッチすることによって、スキャン設定指定画面５２を再度表示させることができるので、スキャン設定の指定を所望に応じて変更することができる。このとき、カードＣは、搬送ローラ１０４，１０５間に挟持された状態が維持され、排出されないので、カードＣを再挿入する必要もなく、所望のスキャン設定でのカードＣの読み取りを効率的に行うことができる。スキャン実行前画面５３には、排出キー５２ｅと同様の機能を有するキーが表示されないので、カードＣを誤って排出させてしまうことを防止できる。一方、スキャン設定指定画面５２には、Ｓｔａｒｔキー５３ｃと同様の機能を有するキーが表示されないように構成されているので、ユーザの意図通りでないスキャン設定でカードＣの読み取りが行われることを防止できる。
【００４９】
スキャン実行中画面５４は、カードＣの読み取りの実行中に表示される画面である。スキャン実行中画面５４には、表示領域５４ａが設けられる。表示領域５４ａには、実行中の読み取りに対し設定されているスキャン設定、すなわち、表示領域５３ａに表示されていたスキャン設定の内容が表示される。スキャン実行中画面５４には、Ｃａｎｃｅｌキー５４ａが表示される。Ｃａｎｃｅｌキー５４ｂは、実行中の読み取りの中止（キャンセル）を指示するためのソフトキーである。Ｃａｎｃｅｌキー５４ｂに対するタッチを、ＣＰＵ１１が検出した場合（Ｔ６）、ＣＰＵ１１は、画像読取センサ１８によるカードＣの読み取りを完了させることなく、カードＣを排出口２ａ１から排出させる（Ｓ４）。よって、スキャン実行中画面５４にはＣａｎｃｅｌキー５４ｂが表示されるので、カードＣの読み取り中であっても、当該読み取りを中止して、カードＣを排出させることができる。また、Ｓｔａｒｔキー５３ｃがタッチされた後、画像読取センサ１８によるカードＣの読み取りが開始される前であっても、当該読み取りを行うことなく、カードＣを排出させることができる。なお、「画像読取センサ１８によるカードＣの読み取りを完了させることなく」とは、前者の場合と後者の場合との両方を含むことを意図する。
【００５０】
ＣＰＵ１１は、Ｓ４の処理を行った後、カードＣが挿入口２ｂから排出されたと判断した場合、スキャン実行中画面５４に代えて、待機画面５１をＬＣＤ１６に表示させる。よって、カードＣの読み取りを中止させ、当該カードＣを排出させた後は、カードＣの挿入が検出されない状態の画面（待機画面５１）に戻るので、引き続き、カードＣを挿入することによって、当該カードＣの読み取りを行うことができる。一方、Ｓｔａｒｔキー５３ｃがタッチされたことに基づいて実行された読み取りが完了した場合（Ｔ７）、ＣＰＵ１１は、スキャン実行中画面５４に代えて、待機画面５１をＬＣＤ１６に表示させる。
【００５１】
スキャン設定指定画面５２、スキャン実行前画面５３、またはスキャン実行中画面５４のいずれかの画面がＬＣＤ１６に表示されている状態で、ＣＰＵ１１が、カバー開閉検知センサ２０から入力された信号に基づき、カバーが開かれたと判断した場合（Ｔ８，Ｔ９，Ｔ１０）、ＣＰＵ１１は、報知画面５５をＬＣＤ１６に表示させる。つまり、カードＣが搬送ローラ１０４，１０５間に挟持され、カードＣの読み取り機能が開始された後にＬＣＤ１６に画面５２，５３，５４が表示されている場合に、カバー３が開かれた場合には、報知画面５５がＬＣＤ１６に表示される。報知画面５５は、カバー３を閉めることを示唆するメッセージ、例えば、「カバーを閉じて下さい。」とのメッセージ５５ａが表示される画面である。上述した通り、本実施形態のＣＤＳ１は、カバー３が閉じられていることを条件として、搬送ローラ１０４，１０５に挟持されたカードＣを下流側に搬送させるように構成されるので、カードＣの読み取り機能が開始された後にカバー３が開かれた場合、第１経路Ｖ１上にあるカードＣを搬送することができない。これに対し、本実施形態のＣＤＳ１は、カードＣの読み取り機能が開始された後にカバー３が開かれた場合には、カバー３を閉めることを示唆するメッセージ５５ａを含む報知画面５５を表示させるので、ユーザは、カバー３を閉じる必要があることを認識できる。
【００５２】
報知画面５５がＬＣＤ１６に表示されている状態で、ＣＰＵ１１が、カバー３が閉じられたと判断した場合（Ｔ１１）、ＣＰＵ１１は、排出実行画面５６をＬＣＤ１６に表示させる。排出実行画面５６には、排出キー５６ａと、排出キー５６ａの操作を促すメッセージ５６ｂとが表示される。排出キー５６ａは、スキャン設定指定画面５２の排出キー５２ｅと同様、搬送ローラ１０４，１０５間に挟持されているカードＣを、画像読取センサ１８による読み取りを行うことなく排出させることを指示するためのソフトキーである。排出キー５６ａに対するタッチを、ＣＰＵ１１が検出した場合（Ｔ１２）、ＣＰＵ１１は、上述したＳ２の処理と同様に、搬送ローラ１０４，１０５間に挟持されているカードＣを排出口２ａ１から排出させる（Ｓ５）。よって、カードＣの読み取り機能が開始された後にカバー３が開かれた場合であっても、カバー３を閉じたことに条件としてＬＣＤ１６に表示された排出実行画面５６は排出キー５６ａを含むので、当該排出キー５６ａを用いることにより、搬送ローラ１０４，１０５に挟持されているカードＣを排出できる。これにより、搬送ローラ１０４，１０５に挟持されたカードＣを無理やりに引き抜くことなく、当該カードＣを排出できるので、カードＣが損傷されることを防止できる。
【００５３】
ＣＰＵ１１は、Ｓ５の処理を行った後、カードＣが挿入口２ｂから排出されたと判断した場合、排出実行画面５６に代えて、待機画面５１をＬＣＤ１６に表示させる。なお、ＣＰＵ１１は、例えば、カードＣがカード検知センサ２１に検知されなくなったとＣＰＵ１１が判断した場合、または、排出キー５６ａに対するタッチをＣＰＵ１１が検出した場合に、カードＣが挿入口２ｂから排出されたと判断する。上述した通り、カバー３を開くことによって、カードＣの読み取り機能がキャンセルされるが、カードＣを排出させた後は、カードＣの挿入が検出されない状態の画面（待機画面５１）に戻るので、引き続き、カードＣを挿入することによって、当該カードＣの読み取りを行うことができる。
【００５４】
図７は、ＣＤＳ１のＬＣＤ１６に表示される画面の画面遷移図の一例である。なお、図７には、必要に応じて、ＣＰＵ１１が画面の遷移に伴い実行する処理が図示される。カバー３が開かれ、原稿の読取モードがドキュメント読取モードに設定された場合、ＣＰＵ１１は、ドキュメント読取モードに係る画面群６１のうち、状況に応じた画面をＬＣＤ１６に表示させる。画面群６１には、例えば、画像読取センサ１８によるドキュメントＤの読み取りに係る読取設定値をユーザに指定させるための画面６１ａ、状況に応じたメッセージを表示する画面６１ｂ、および、画像読取センサ１８によるドキュメントＤの読み取りの実行中に表示される画面６１ｃなどが含まれる。
【００５５】
画面群６１のうち、例えば、画面６１ａ〜６１ｃは、開かれたカバー３からなる給紙トレイ上にドキュメントＤがセットされた状態でＬＣＤ１６に表示され得る画面である。そのような画面６１ａ〜６１ｃの表示中に、給紙トレイ上にドキュメントＤがセットされた状態でカードＣが挿入口２ｂに挿入されたことを、ＣＰＵ１１が判断した場合（Ｔ２１，Ｔ２２，Ｔ２３）、ＣＰＵ１１は、エラー画面６２をＬＣＤ１６に表示させる。エラー画面６２は、例えば、「給紙トレイに原稿をセットした状態でカードを挿入しないで下さい。」などのエラーメッセージが表示される画面である。よって、ユーザは、エラー画面６２に基づき、カバー３を開け、ドキュメントがセットされた状態で、カードＣを挿入することがエラーであると認識できる。
【００５６】
上述した通り、読取モードがドキュメント読取モードに設定されている状態で、ユーザが、カードＣを誤って挿入口２ｂに挿入したとしても、当該カードＣは、搬送ローラ１０４，１０５間に挟持されない。つまり、Ｔ２１，Ｔ２２，Ｔ２３において、ＣＰＵ１１が、カードＣが挿入口２ｂに挿入されたと判断しても、当該カードＣは、搬送ローラ１０４，１０５間に挟持されない。かかる場合、ユーザは、カードＣを挿入口２ｂから引き抜くことによって、カードＣを損傷させることなく取り出すことが可能である。
【００５７】
エラー画面６２がＬＣＤ１６に表示されている状態で、ＣＰＵ１１が、カード検知センサ２１から入力された信号に基づき、カードＣが挿入口２ｂから取り出されたと判断した場合（Ｔ２４）、ＣＰＵ１１は、エラー画面６２に代えて、画面群６１のうち、エラー画面６２が表示される直前の画面を、ＬＣＤ１６に表示させる。カードＣを引き抜いた場合には、エラー画面６２が表示される直前の画面が表示されるので、カードＣを挿入口２ｂに挿入する直前の状態から、ドキュメントＤの読み取り作業を継続できる。例えば、直前の画面が、画面６１ｃであった場合、ＣＰＵ１１は、駆動モータ１９を動作してドキュメントＤの搬送を再開させるとともに、中断されていた、画像読取センサ１８によるドキュメントＤの読み取りを再開させる。一方、直前の画面が、画面６１ａ，６１ｂなど、画像読取センサ１８によるドキュメントＤの読み取りの実行前に表示される画面であった場合、ＣＰＵ１１は、ドキュメントＤの読み取りの実行を指示するための操作キー（図示せず）の操作を受け付けた場合に、トレイ上にセットされているドキュメントＤを、搬送ローラ１０４，１０５間に挟持させて搬送させ、画像読取センサ１８に画像を読み取らせる。
【００５８】
ドキュメント読取モードに係る画面群６１のうち、例えば、画面６１ａ，６１ｂは、開かれたカバー３からなる給紙トレイ上にドキュメントＤがセットされていない状態であってもＬＣＤ１６に表示され得る画面である。そのような画面６１ａ，６１ｂの表示中に、給紙トレイ上にドキュメントＤがセットされていない状態でカードＣが挿入口２ｂに挿入されたことを、ＣＰＵ１１が判断した場合（Ｔ２５，Ｔ２６）、ＣＰＵ１１は、エラー画面６３をＬＣＤ１６に表示させる。かかる場合も、カバー３が開かれている状態でのカードＣの挿入であるので、挿入されたカードＣは、搬送ローラ１０４，１０５間に挟持されない。エラー画面６３は、例えば、「カード読み取りを行う場合、トレイカバーを閉めて下さい。」などのエラーメッセージが表示される画面である。よって、ユーザは、エラー画面６３に基づき、カバー３を開けた状態でカードＣを挿入することがエラーであると認識できる。
【００５９】
エラー画面６３がＬＣＤ１６に表示されている状態で、ＣＰＵ１１が、カバーが閉じられたと判断した場合（Ｔ２７）、ＣＰＵ１１は、上述したＳ２の処理と同様に、挿入されているカードＣを、搬送ローラ１０４，１０５間に挟持させた状態で停止させる（Ｓ２１）。ＣＰＵ１１は、Ｓ２１の処理を行った後、エラー画面６３に代えて、スキャン設定指定画面５２をＬＣＤ１６に表示させる。よって、読取モードがカード読取モードでなくドキュメント読取モードに設定されている状態で、カードＣを挿入口２ｂに挿入したとしても、カバー３を閉じることによって、画像読取センサ１８による当該カードＣの読み取りを行わせることができる。一方、エラー画面６３がＬＣＤ１６に表示されている状態で、ＣＰＵ１１が、ドキュメント検知センサ２２から入力された信号に基づき、ドキュメントＤが給紙トレイ上にセットされていると判断した場合（Ｔ２８）、ＣＰＵ１１は、エラー画面６３に代えて、エラー画面６２をＬＣＤ１６に表示させる。
【００６０】
図８は、カード読取処理を示すフローチャートである。本処理は、ＣＰＵ１１が、カバー３が閉じられたと判断した場合に開始される。ＣＰＵ１１は、まず、カード読取モードにおける待機画面５１をＬＣＤ１６に表示させる（ＳＴ８０１）。次に、ＣＰＵ１１が、カード検知センサ２１から入力された信号に基づき、カードＣが挿入口２ｂに挿入されたと判断した場合（ＳＴ８０２：Ｙｅｓ／上記Ｔ１に相当）、ＣＰＵ１１は、カードＣを搬送し、搬送ローラ１０４，１０５間に挟持させた状態で停止させる（ＳＴ８０３／上記Ｓ１に相当）。一方、ＣＰＵ１１が、カードＣが挿入口２ｂに挿入されていないと判断した場合（ＳＴ８０２：Ｎｏ）、ＣＰＵ１１は、カードＣの挿入がカード検知センサ２１に検知されるまで待機する。
【００６１】
ＣＰＵ１１は、ＳＴ８０３の処理後、待機画面５１に代えて、スキャン設定指定画面５２をＬＣＤ１６に表示させる（ＳＴ８０４）。次に、スキャン設定指定画面５２に表示される各キー５２ａ〜５２ｄに対するタッチを、ＣＰＵ１１が検出した場合（ＳＴ８０５：Ｙｅｓ／上記Ｔ３に相当）、ＣＰＵ１１は、スキャン設定指定画面５２に代えて、スキャン実行前画面５３をＬＣＤ１６に表示させる（ＳＴ８０６）。一方、スキャン設定指定画面５２に表示される排出キー５２ｅに対するに対するタッチを、ＣＰＵ１１が検出した場合（ＳＴ８０５；Ｎｏ，ＳＴ８１８：Ｙｅｓ／上記Ｔ２に相当）、ＣＰＵ１１は、搬送ローラ１０４，１０５間に挟持されているカードＣを排出口２ａ１から排出させ（ＳＴ８１９／上記Ｓ２に相当）、処理をＳＴ８０１に移行する。これにより、スキャン設定指定画面５２に代わり、待機画面５１がＬＣＤ１６に表示される。
【００６２】
また、スキャン設定指定画面５２の表示中、ＣＰＵ１１が、カバー３が開かれたと判断した場合（ＳＴ８１８：Ｎｏ，ＳＴ８２０：Ｙｅｓ／上記Ｔ８に相当）、ＣＰＵ１１は、スキャン設定指定画面５２に代えて、報知画面５５をＬＣＤ１６に表示させる（ＳＴ８１３）。一方、ＳＴ８２０において、カバー３が閉じられたままである場合（ＳＴ８２０：Ｎｏ）、ＣＰＵ１１は、処理をＳＴ８０５に移行する。係る場合、ＬＣＤ１６には、スキャン設定指定画面５２が引き続き表示される。
【００６３】
スキャン実行前画面５３に表示されるＳｔａｒｔキー５３ｃに対するタッチを、ＣＰＵ１１が検出した場合（ＳＴ８０７：Ｙｅｓ／上記Ｔ５に相当）、ＣＰＵ１１は、カードＣを搬送させて、画像読取センサ１８によるカードＣの読み取りを開始し（ＳＴ８０８／上記Ｓ３に相当）、スキャン実行前画面５３に代えて、スキャン実行中画面５４をＬＣＤ１６に表示させる（ＳＴ８０９）。一方、スキャン実行前画面５３に表示されるＢａｃｋキー５３ｂに対するタッチを、ＣＰＵ１１が検出した場合（ＳＴ８０７：Ｎｏ，ＳＴ８２１：Ｙｅｓ／上記Ｔ４に相当）、ＣＰＵ１１は、処理をＳＴ８０４に移行する。これにより、スキャン実行前画面５３に代わり、前画面であるスキャン設定指定画面５２がＬＣＤ１６に表示される。
【００６４】
スキャン実行前画面５３の表示中、ＣＰＵ１１が、カバー３が開かれたと判断した場合（ＳＴ８２１：Ｎｏ，ＳＴ８２２：Ｙｅｓ／上記Ｔ９に相当）、ＣＰＵ１１は、スキャン実行前画面５３に代えて、報知画面５５をＬＣＤ１６に表示させる（ＳＴ８１３）。一方、ＳＴ８２２において、カバー３が閉じられたままである場合（ＳＴ８２２：Ｎｏ）、ＣＰＵ１１は、処理をＳＴ８０７に移行する。係る場合、ＬＣＤ１６には、スキャン実行前画面５３が引き続き表示される。
【００６５】
スキャン実行中画面５４に表示されるＣａｎｃｅｌキー５４ｂに対するタッチを、ＣＰＵ１１が検出した場合（ＳＴ８１０：Ｙｅｓ／上記Ｔ６に相当）、ＣＰＵ１１は、搬送ローラ１０４，１０５間に挟持されているカードＣを排出口２ａ１から排出させ（ＳＴ８１９／上記Ｓ４に相当）、処理をＳＴ８０１に移行する。これにより、スキャン設定指定画面５２に代わり、待機画面５１がＬＣＤ１６に表示される。一方、スキャン実行中画面５４に表示されるＣａｎｃｅｌキー５４ｂがタッチされることなく、実行中のカードＣの読み取りが完了した場合（ＳＴ８１０：Ｎｏ，ＳＴ８１１：Ｙｅｓ／上記Ｔ７に相当）、ＣＰＵ１１は、処理をＳＴ８０１に移行する。係る場合もまた、スキャン設定指定画面５２に代わり、待機画面５１がＬＣＤ１６に表示される。
【００６６】
カードＣの読み取りの実行中に、ＣＰＵ１１が、カバー３が開かれたと判断した場合（ＳＴ８１１：Ｎｏ，ＳＴ８１２：Ｙｅｓ／上記Ｔ１０に相当）、ＣＰＵ１１は、スキャン実行中画面５４に代えて、報知画面５５をＬＣＤ１６に表示させる（ＳＴ８１３）。なお、カードＣの読み取りの実行中に報知画面５５が表示される場合には、画像読取センサ１８によるカードＣの読み取りを中断するとともに、駆動モータ１９を停止してカードＣの搬送を停止する。一方、ＳＴ８１２において、カバー３が閉じられたままである場合（ＳＴ８１２：Ｎｏ）、ＣＰＵ１１は、処理をＳＴ８１０に移行する。係る場合、ＬＣＤ１６には、スキャン実行中画面５４が引き続き表示される。
【００６７】
報知画面５５が表示されている状態で、ＣＰＵ１１が、カバー３が閉じられたと判断した場合（ＳＴ８１４：Ｙｅｓ／上記Ｔ１１に相当）、ＣＰＵ１１は、報知画面５５に代えて、排出実行画面５６をＬＣＤ１６に表示させる（ＳＴ８１５）。一方、ＳＴ８１４において、カバー３が開かれたままである場合（ＳＴ８１４：Ｎｏ）、ＣＰＵ１１は、カバー３が閉じられるまで待機する。係る場合、ＬＣＤ１６には、報知画面５５が引き続き表示される。一方、排出実行画面５６に表示される排出キー５６ａに対するタッチを、ＣＰＵ１１が検出した場合（ＳＴ８１６：Ｙｅｓ／上記Ｔ１２に相当）、ＣＰＵ１１は、搬送ローラ１０４，１０５間に挟持されているカードＣを排出口２ａ１から排出させ（ＳＴ８１７／上記Ｓ５に相当）、処理をＳＴ８０１に移行する。これにより、排出実行画面５６に代わり、待機画面５１がＬＣＤ１６に表示される。一方、ＳＴ８１６において、排出実行画面５６に表示される排出キー５６ａがタッチされていない場合（ＳＴ８１６：Ｎｏ）、ＣＰＵ１１は、排出キー５６ａがタッチされるまで待機する。係る場合、ＬＣＤ１６には、排出実行画面５６が引き続き表示される。
【００６８】
図９は、機能実行処理を示すフローチャートである。本処理は、カバー３が閉かれ、ドキュメント読取モードにおける待機画面（図示せず）がＬＣＤ１６に表示されている状態で、当該待機画面から選択可能な、ドキュメントの読み取りに係る機能を選択した場合に開始される。なお、ドキュメントの読み取りに係る機能としては、例えば、ドキュメント読取データを、ＵＳＢ＿Ｉ／Ｆ２３に接続されたＵＳＢメモリ（図示せず）に保存させる機能（以下「Ｓｃａｎ  ｔｏ  ＵＳＢ」と称す）や、ドキュメント読取データを、ネットワーク＿Ｉ／Ｆ２４を介して接続されたネットワーク（図示せず）上のＦＴＰサーバに保存させる機能などがある。
【００６９】
選択された機能が「Ｓｃａｎ  ｔｏ  ＵＳＢ」以外の機能である場合（ＳＴ９０１：Ｎｏ）、ＣＰＵ１１は、選択された機能に応じた処理を実行し（ＳＴ９１０）、本処理を終了する。一方、選択された機能が「Ｓｃａｎ  ｔｏ  ＵＳＢ」であり、ＵＳＢ＿Ｉ／Ｆ２３にＵＳＢメモリが接続されている場合（ＳＴ９０１：Ｙｅｓ，ＳＴ９０２：Ｙｅｓ）、ＣＰＵ１１は、表示中の待機画面に代えて、スキャン設定指定画面をＬＣＤ１６に表示させる（ＳＴ９０３）。本実施形態において、スキャン設定画面は、図７に示す画面６１ａである。選択された機能が「Ｓｃａｎ  ｔｏ  ＵＳＢ」であるが、ＵＳＢ＿Ｉ／Ｆ２３にＵＳＢメモリが接続されていない場合（ＳＴ９０２：Ｎｏ）、ＣＰＵ１１は、表示中の待機画面に代えて、報知画面をＬＣＤ１６に表示させる（ＳＴ９１１）。本実施形態において、報知画面は、図７に示す画面６１ｂである。
【００７０】
スキャン設定指定画面（画面６１ａ）に表示されるＳｔａｒｔキーに対するタッチを、ＣＰＵ１１が検出した場合（ＳＴ９０４：Ｙｅｓ）、ＣＰＵ１１は、給紙トレイ（カバー３）にセットされているドキュメントＤを搬送させて、画像読取センサ１８によるドキュメントＤの読み取りを開始する（ＳＴ９０５）。次に、ＣＰＵ１１は、スキャン設定指定画面に代えて、スキャン実行中画面をＬＣＤ１６に表示させる。本実施形態において、スキャン実行中画面は、図７に示す画面６１ｃである。
【００７１】
スキャン設定指定画面の表示中、ＣＰＵ１１が、カードＣが挿入口２ｂに挿入されていないと判断した場合（ＳＴ９１９：Ｎｏ）、ＣＰＵ１１は、処理をＳＴ９０４に戻す。係る場合、ＬＣＤ１６には、スキャン設定指定画面（画面６１ａ）が引き続き表示される。一方、ＣＰＵ１１が、カード検知センサ２１から入力された信号に基づき、カードＣが挿入口２ｂに挿入されたと判断し、かつ、ドキュメント検知センサ２２から入力された信号に基づき、給紙トレイにドキュメントＤがセットされていると判断した場合（ＳＴ９１９：Ｙｅｓ，ＳＴ９２０：Ｙｅｓ／上記Ｔ２１に相当）、ＣＰＵ１１は、スキャン設定指定画面に代えて、第１エラー画面をＬＣＤ１６に表示させる（ＳＴ９２４）。本実施形態において、第１エラー画面は、図７に示す画面６２である。
【００７２】
第１エラー画面（画面６２）の表示中、ＣＰＵ１１が、カード検知センサ２１から入力された信号に基づき、カードＣが挿入口２ｂから取り出されたと判断した場合（ＳＴ９２５：Ｙｅｓ／上記Ｔ２４に相当）、ＣＰＵ１１は、処理をＳＴ９０３に移行する。これにより、第１エラー画面に代わり、スキャン設定指定画面（画面６１ａ）がＬＣＤ１６に表示される。一方、ＣＰＵ１１が、カードＣが挿入口２ｂから取り出されていないと判断した場合（ＳＴ９２５：Ｎｏ）、ＣＰＵ１１は、ドキュメントＤが給紙トレイから取り出されて、カバーが閉じられたかを判断する（ＳＴ９２２）。そして、第１エラー画面（画面６２）の表示中、ＣＰＵ１１が、カバー３が閉じられたと判断した場合（ＳＴ９２２：Ｙｅｓ）、ＣＰＵ１１は、カードＣを搬送し、搬送ローラ１０４，１０５間に挟持させた状態で停止させ（ＳＴ９２３）、処理をＳＴ８０４（図８参照）に移行する。一方、第１エラー画面が表示された状態で、ＣＰＵ１１が、カバー３が閉じられていないと判断した場合（ＳＴ９２２：Ｎｏ）、ＣＰＵ１１は、処理をＳＴ９２０に移行する。
【００７３】
ＳＴ９１９およびＳＴ９２０において、ＣＰＵ１１が、カードＣが挿入口２ｂに挿入されたと判断したが、給紙トレイにドキュメントＤがセットされていないと判断した場合（ＳＴ９１９：Ｙｅｓ，ＳＴ９２０：Ｎｏ／上記Ｔ２５に相当）、ＣＰＵ１１は、スキャン設定指定画面に代えて、第２エラー画面をＬＣＤ１６に表示させる（ＳＴ９２１）。本実施形態において、第２エラー画面は、図７に示す画面６３である。第２エラー画面（画面６３）の表示中、ＣＰＵ１１が、カバー３が閉じられたと判断した場合（ＳＴ９２２：Ｙｅｓ／上記Ｔ２７に相当）、ＣＰＵ１１は、カードＣを搬送し、搬送ローラ１０４，１０５間に挟持させた状態で停止させる（ＳＴ９２３／上記Ｓ２１に相当）。次いで、ＣＰＵ１１は、処理をＳＴ８０４（図８参照）に移行する。これにより、第２エラー画面（画面６３）に代わり、カードＣの読み取りに係る画面の１つであるスキャン設定指定画面５２が、ＬＣＤ１１に表示される。一方、第２エラー画面が表示された状態で、ＣＰＵ１１が、カバー３が閉じられていないと判断した場合（ＳＴ９２２：Ｎｏ）、ＣＰＵ１１は、処理をＳＴ９２０に移行する。そして、ＣＰＵ１１が、ＳＴ９２２において開かれているカバー３から構成される給紙トレイにドキュメントＤがセットされたと判断した場合（ＳＴ９２０：Ｙｅｓ／上記Ｔ２８に相当）、ＣＰＵ１１は、第２エラー画面（画面６３）に代えて、第１エラー画面（画面６２）をＬＣＤ１６に表示させる（ＳＴ９２４）。
【００７４】
報知画面（画面６１ｂ）の表示中、ＣＰＵ１１が、カードＣが挿入口２ｂに挿入されていないと判断した場合（ＳＴ９１２：Ｎｏ）、ＣＰＵ１１は、処理をＳＴ９０２に戻す。係る場合、ＬＣＤ１６には、報知画面が引き続き表示される。一方、ＣＰＵ１１が、カードＣが挿入口２ｂに挿入されたと判断し、かつ、ドキュメント検知センサ２２から入力された信号に基づき、給紙トレイにドキュメントＤがセットされていると判断した場合（ＳＴ９１２：Ｙｅｓ，ＳＴ９１３：Ｙｅｓ／上記Ｔ２２に相当）、ＣＰＵ１１は、報知画面に代えて、第１エラー画面（画面６２）をＬＣＤ１６に表示させる（ＳＴ９１７）。
【００７５】
第１エラー画面の表示中、ＣＰＵ１１が、カードＣが挿入口２ｂから取り出されたと判断した場合（ＳＴ９１８：Ｙｅｓ／上記Ｔ２４に相当）、ＣＰＵ１１は、処理をＳＴ９１１に移行する。これにより、第１エラー画面に代わり、報知画面（画面６１ａ）がＬＣＤ１６に表示される。一方、ＣＰＵ１１が、カードＣが挿入口２ｂから取り出されていないと判断した場合（ＳＴ９１８：Ｎｏ）、ＣＰＵ１１は、ドキュメントＤが給紙トレイから取り出されて、カバーが閉じられたかを判断する（ＳＴ９１５）。そして、第１エラー画面（画面６２）の表示中、ＣＰＵ１１が、カバー３が閉じられたと判断した場合（ＳＴ９１５：Ｙｅｓ）、ＣＰＵ１１は、カードＣを搬送し、搬送ローラ１０４，１０５間に挟持させた状態で停止させ（ＳＴ９１６）、処理をＳＴ８０４（図８参照）に移行する。一方、第１エラー画面が表示された状態で、ＣＰＵ１１が、カバー３が閉じられていないと判断した場合（ＳＴ９１５：Ｎｏ）、ＣＰＵ１１は、処理をＳＴ９１３に移行する。
【００７６】
ＳＴ９１２およびＳＴ９１３において、ＣＰＵ１１が、カードＣが挿入口２ｂに挿入されたと判断したが、給紙トレイにドキュメントＤがセットされていないと判断した場合（ＳＴ９１２：Ｙｅｓ，ＳＴ９１３：Ｎｏ／上記Ｔ２６に相当）、ＣＰＵ１１は、報知画面に代えて、第２エラー画面（画面６３）をＬＣＤ１６に表示させる（ＳＴ９１４）。第２エラー画面の表示中、ＣＰＵ１１が、カバー３が閉じられたと判断した場合（ＳＴ９１５：Ｙｅｓ／上記Ｔ２７に相当）、ＣＰＵ１１は、カードＣを搬送し、搬送ローラ１０４，１０５間に挟持させた状態で停止させる（ＳＴ９１６／上記Ｓ２１に相当）。次いで、ＣＰＵ１１は、処理をＳＴ８０４（図８参照）に移行する。これにより、第２エラー画面（画面６３）に代わり、スキャン設定指定画面５２が、ＬＣＤ１１に表示される。一方、第２エラー画面が表示された状態で、ＣＰＵ１１が、カバー３が閉じられていないと判断した場合（ＳＴ９１５：Ｎｏ）、ＣＰＵ１１は、処理をＳＴ９１３に移行する。そして、ＣＰＵ１１が、ＳＴ９１３において開かれているカバー３から構成される給紙トレイにドキュメントＤがセットされたと判断した場合（ＳＴ９１３：Ｙｅｓ／上記Ｔ２８に相当）、ＣＰＵ１１は、第２エラー画面（画面６３）に代えて、第１エラー画面（画面６２）をＬＣＤ１６に表示させる（ＳＴ９１７）。
【００７７】
スキャン実行中画面（画面６１ｃ）の表示中、カードＣが挿入口２ｂに挿入されたと判断した場合（ＳＴ９０７：Ｙｅｓ／上記Ｔ２３に相当）、ＣＰＵ１１は、スキャン実行中画面に代えて、第１エラー画面（画面６２）をＬＣＤ１６に表示させる（ＳＴ９０８）。なお、ＳＴ９０８では、画像読取センサ１８によるカードＣの読み取りを中断するとともに、駆動モータ１９を停止してカードＣの搬送を停止する。第１エラー画面の表示中、ＣＰＵ１１が、カードＣが挿入口２ｂから取り出されたと判断した場合（ＳＴ９０９：Ｙｅｓ／上記Ｔ２４に相当）、ＣＰＵ１１は、処理をＳＴ９０６に移行する。これにより、第１エラー画面に代わり、スキャン実行中画面（画面６１ｃ）がＬＣＤ１６に表示される。なお、この場合、駆動モータ１９の動作を再開してカードＣを搬送させ、画像読取センサ１８によるカードＣの読み取りを再開する。一方、ＣＰＵ１１が、カードＣが挿入口２ｂから取り出されていないと判断した場合（ＳＴ９０９：Ｎｏ）、ＣＰＵ１１は、カードＣが挿入口２ｂから取り出されることを待機する。
【００７８】
スキャン実行画面の表示中、カードＣが挿入口２ｂに挿入されることなく、かつ、実行中のドキュメントＤの読み取りも完了していない場合（ＳＴ９０７：Ｎｏ，ＳＴ９２６：Ｎｏ）、ＣＰＵ１１は、処理をＳＴ９０７に移行する。一方、ＳＴ９２６において、実行中のドキュメントＤの読み取りが完了した場合（ＳＴ９２６：Ｙｅｓ）、本処理を終了する。
【００７９】
本実施形態のＣＤＳ１によれば、ＬＣＤ１６に表示される画面に、搬送ローラ１０４，１０５に挟持されたカードＣを排出可能な排出キー５２ｅなどのソフトキーが表示されるので、搬送ローラ１０４，１０５に挟持されたカードＣの読み取りを中止して当該カードＣを排出させる場合の操作性に優れる。また、ＬＣＤ１６に表示されたソフトキーを用いてカードＣの排出を行うので、ＣＤＳ１が、カバー３を閉じた状態において、操作キー１５が露出されない構成であっても、搬送ローラ１０４，１０５に挟持されたカードＣを排出させることができる。よって、カードＣが無理やりに引き抜き、カードＣを損傷させることを防止できる。
【００８０】
上記各実施形態において、ＣＤＳ１が、画像形成装置の一例である。制御プログラム１２ａが、画像形成プログラムの一例である。搬送ローラ１０４，１０５が、搬送ローラの一例である。画像読取センサ１８が、読取手段の一例である。カード検知センサ２１およびドキュメント検知センサ２２とＣＰＵ１１とが、原稿検出手段の一例である。ＬＣＤ１６が、表示部の一例である。ＣＰＵ１１が、コンピュータ、搬送制御手段、表示制御手段、設定指定手段、モード設定手段の一例である。待機画面５１が、第１画面の一例である。スキャン設定指定画面５２が、第２画面の一例である。スキャン実行前画面５３が、第３画面の一例である。スキャン実行中画面５４が、第４画面の一例である。排出実行画面５６が、第５画面の一例である。エラー画面６２，６３が、エラー画面の一例である。排出キー５２ａ、排出キー５６ａが、排出指示子の一例である。Ｂａｃｋキー５３ｂが、戻り指示子の一例である。Ｓｔａｒｔキー５３ｃが、開始指示子の一例である。Ｃａｎｃｅｌキー５４ｂが、キャンセル指示子の一例である。デフォルトキー５２ａ、ショートカットキー５２ｂ〜５２ｄが、設定キーの一例である。カバー３が、カバーの一例である。カバー開閉検知センサ２０とＣＰＵ１１とが、開閉検出手段の一例である。ドキュメントＤが、第１種の原稿の一例である。ドキュメント読取モードが、第１モードの一例である。カードＣが、第２種の原稿の一例である。カード読取モードが、第２モードの一例である。第１経路Ｖ１が、第１搬送経路の一例である。第２経路Ｖ２が、第２搬送経路の一例である。経路１０２が、共用する経路の一例である。合流部１０９が、合流部の一例である。
【００８１】
以上、実施形態に基づき本発明を説明したが、本発明は上述した実施形態に何ら限定されるものではなく、本発明の趣旨を逸脱しない範囲内で種々の改良変更が可能であることは容易に推察できるものである。例えば、上記実施形態では、画像形成装置の一例として、単機能のスキャナ装置であるＣＤＳ１を例示したが、スキャン機能以外の機能も有する多機能周辺装置（複合機）も画像形成装置の一例となり得る。
【００８２】
上記実施形態では、Ｂａｃｋキー１５ａ、Ｈｏｍｅキー１５ｂ、およびＣａｎｃｅｌキー１５ｃを、本体部２の上面に設ける構成としたが、キー１５ａ〜１５ｃなどのハードキーを設けることなく、ＬＣＤ１６に表示される画面に、必要に応じて、これらのキー１５ａ〜１５ｃに対応するソフトキーを表示させる構成としてもよい。
【００８３】
上記実施形態では、スキャン設定指定画面５２において排出キー５２ｅが操作された場合、スキャン設定指定画面５２に代えて、待機画面５１が表示される構成としたが、待機画面５１に限らず、他の画面であってもよい。同様に、カードＣが排出された場合には、そのときに表示されている画面（例えば、排出実行画面５６）に代えて、待機画面５１が表示されることに限らず、他の画面を表示させてもよい。また、上記実施形態では、各画面５２〜５４が表示されている場合に、カバー３が開かれた場合、カバー３を閉めることを示唆するメッセージ５５ａを含む報知画面５５をＬＣＤ１６に表示させる構成としたが、報知画面５５を表示させずに、各画面５２〜５４に、メッセージ５５ａをポップアップ表示させる構成としてもよい。
【００８４】
上記実施形態では、カバー３が閉じられた状態で、挿入口２ｂから挿入されたカードＣがカード検知センサ２１に検知された場合、当該カードＣが、互いに圧接された状態で設けられる搬送ローラ１０４，１０５間に挟持される構成とした。これに換えて、カードＣがカード検知センサ２１に検知されない状態では、搬送ローラ１０４，１０５は離間されており、カードＣがカード検知センサ２１に検知された場合に、離間されている搬送ローラ１０４，１０５を移動させて、カードＣを搬送ローラ１０４，１０５間に挟持させる（ニップさせる）構成としてもよい。よって、特許請求の範囲における「原稿を搬送ローラに挟持させる」としては、カードＣを、上記実施形態のように、互いに圧接された状態で設けられる搬送ローラ１０４，１０５間に挟持させる場合と、本変形例のように、離間された状態で設けられる搬送ローラ１０４，１０５間に挟持させる場合との両方を含む。
【００８５】
上記実施形態では、ＣＤＳ１の背面に設けられた挿入口２ｂから読み取り対象のカードＣを挿入させる構成としたが、例えば、排出口２ａ１から読取対象のカードＣを挿入させる構成など、読み取り対象のカードＣを挿入するための挿入口をＣＤＳ１の前面に設ける構成としてもよい。また、カードＣの搬送経路（第１経路Ｖ１）は、背面側から前面側の経路に限定されない。例えば、カードＣを挿入するための挿入口を前面側に設けた場合、ＣＤＳ１の前面から挿入されたカードＣの搬送経路を、画像読取センサ１８による読み取り後に、背面から排出される経路または前面から排出される経路のいずれとしてもよい。
【００８６】
上記実施形態では、排出キー５２ｅやＢａｃｋキー５３ｂなどのＬＣＤ１６に表示されたソフトキーに対するタッチを入力操作として例示したが、画面内を移動可能なカーソルをカーソル移動キーなどによって移動させ、所望のソフトキーにカーソルを合わせた状態で、実行を指示するキーを操作した場合に、当該操作を入力操作としてもよい。また、ＣＤＳ１に、マウスなどのポインティングデバイスを接続可能に構成し、上記カーソルをポインティングデバイスによって移動させ、所望のソフトキーにカーソルを合わせた状態で、ダブルクリックなどの所定の操作を行った場合に、当該操作を入力操作としてもよい。
【００８７】
上記実施形態において、待機画面５１などの各種画面を、ＣＤＳ１に設けられたＬＣＤ１６に表示させる構成としたが、ＣＤＳ１に接続されたＰＣなどの外部装置のディスプレイに表示させる構成としてもよい。かかる場合、外部装置のディスプレイに表示された画面に対して設定や指示をＣＤＳ１に入力する構成としてもよい。
【００８８】
上記実施形態では、ＣＤＳ１は、カバー３を閉じた状態で、挿入口２ｂから挿入されたカードＣを読み取り、カバー３を開いた状態で、挿入口２ｃから挿入されたドキュメントＤを読み取るスキャナとして構成したが、カバー３の開閉状態に応じて読み取り可能な原稿は、カードＣとドキュメントＤとに限らず、例えば、両方がドキュメントであったり、両方がカードであったりしてもよい。また、ＣＤＳ１は、カバー３を閉じた状態でのみ原稿を読み取る構成であってもよい。
【符号の説明】
【００８９】
１        ＣＤＳ
１２ａ    制御プログラム
【図１】
2014086959.tif 000003
【図２】
2014086959.tif 000004
【図３】
2014086959.tif 000005
【図４】
2014086959.tif 000006
【図５】
2014086959.tif 000007
【図６】
2014086959.tif 000008
【図７】
2014086959.tif 000009
【図８】
2014086959.tif 000010
【図９】
2014086959.tif 000011